(57)【要約】【課題】調節可能なストラップを有するキャリア装置を提供する。【解決手段】本発明は、調節可能なストラップを有するキャリア装置であって、キャリア本体と、少なくとも１本のストラップと、巻取り装置とを備えるキャリア装置を提供する。少なくとも１本のストラップは、キャリア本体の一側面に配設される。巻取り装置は、キャリア本体の一側面に配設され、少なくとも１つの巻き部と、少なくとも１本の引込み式ワイヤと、ラッチ装置とを有する。引込み式ワイヤは、巻き部上に巻き付けられ、また、ラッチ装置は、巻取り装置上に配設されて、引込み式ワイヤと巻き部の間の相対運動を解除可能に制限し、それによって、ユーザーが素早くかつ容易にストラップの長さを所望の長さに調節することを可能にする。【選択図】図２
2009011840.tif 000002
【特許請求の範囲】
【請求項１】
調節可能なストラップを有するキャリア装置であって、
キャリア本体と、
上記キャリア本体の一側面上に可動自在に配設される少なくとも１本のストラップと、
上記キャリア本体の一側面上に配設される巻取り装置と、
を備え、
上記巻取り装置は、少なくとも１つの巻き部と、少なくとも１本の引込み式ワイヤと、ラッチ装置とを有し、
上記引込み式ワイヤは、上記ストラップの一端部に接続され、上記巻き部上に巻き付けられ、
上記ラッチ装置は、上記巻取り装置上に配設され、上記引込み式ワイヤと上記巻き部の間の相対運動を解除可能に制限する、キャリア装置。
【請求項２】
上記巻取り装置の少なくとも一側面上に配設され、かつ、上記キャリア本体の少なくとも一側面まで延設されたガイド装置を更に備え、
上記ガイド装置は、上記巻取り装置と上記ストラップの間において上記引込み式ワイヤを案内する、
請求項１に記載のキャリア装置。
【請求項３】
上記巻取り装置は、ケーシングを更に備え、
上記巻き部は、上記キャリア本体の両側に第一巻き部と第二巻き部とを備え、
上記第一巻き部と上記第二巻き部は、それぞれ、上記第一巻き部と上記第二巻き部を回転させて上記引込み式ワイヤを引込ませる弾力を蓄積するための螺旋バネを有する、
請求項１に記載のキャリア装置。
【請求項４】
上記引込み式ワイヤは、第一引込み式ワイヤと、第二引込み式ワイヤとを更に備え、
上記第一引込み式ワイヤの一端部は、上記ストラップの一端部を可動自在に貫通し、他端部は、上記ケーシング上に固定され、
上記第二引込み式ワイヤの一端部は、上記ストラップの一端部を可動自在に貫通し、他端部は、上記ケーシング上に固定され、
上記第一引込み式ワイヤは、上記第一巻き部上に巻き付けられ、上記第二引込み式ワイヤは上記第二巻き部に巻きつけられる、
請求項３に記載のキャリア装置。
【請求項５】
上記巻取り装置は、ケーシングを更に有し、
上記巻き部は、複数の第一歯状突起と、少なくとも１本の溝部とを更に備え、
上記溝部は、上記巻き部の周側面上に形成される、
請求項１に記載のキャリア装置。
【請求項６】
上記引込み式ワイヤの一端部は、上記ストラップの一端部を貫通して上記溝部内に巻き付き、他端部は、上記ケーシング上に固定され、
上記引込み式ワイヤは、上記溝部内に配置される、
請求項５に記載のキャリア装置。
【請求項７】
上記ストラップの一端部は、上記引込み式ワイヤが配置されるプーリーを更に備える、
請求項６に記載のキャリア装置。
【請求項８】
上記巻き部は、螺旋バネを更に備え、
上記ラッチ装置は、上記各第一歯状突起の一部に対応する複数の第二歯状突起を有し、
上記第一歯状突起は、上記巻き部の一面側の内周縁上に配列され、
上記螺旋バネは、上記巻き部における上記第一歯状突起を有する該一面側に対向する場所に配設される、
請求項５に記載のキャリア装置。
【請求項９】
上記ケーシングは、開口と、該開口の少なくとも一側に隣接する少なくとも１本の溝穴とを更に備え、
上記ラッチ装置は、該ラッチ装置の少なくとも一側面に配設される少なくとも一つのひれ状突起を有し、
上記ラッチ装置の上記ひれ状突起は、該ラッチ装置が上記開口上のラッチ装置に可動自在に位置されるように、上記ガイド溝穴内に配置される、
請求項５に記載のキャリア装置。
【請求項１０】
調節可能なストラップを有するキャリア装置であって、
キャリア本体と、
上記キャリア本体の一側面に可動自在に接続される２つの端部を有する少なくとも１本のストラップと、
上記キャリア本体の底部に配設される巻取り装置と、
を備え、
上記巻取り装置は、少なくとも１つの巻き部と、第一引込み式ワイヤと、第二引込み式ワイヤと、ラッチ装置とを有し、
上記第一引込み式ワイヤは、上記ストラップの両端部の一方に接続され、上記第二引込み式ワイヤは、上記ストラップの両端部の他方に接続され、
上記第一引込み式ワイヤと上記第二引込み式ワイヤは、上記巻き部に巻き付けられ、
上記ラッチ装置は、上記巻取り装置に配設され、上記第一引込み式ワイヤと上記巻き部の間の相対運動と、上記第二引込み式ワイヤと上記巻き部の間の相対運動とを解除可能に制限する、キャリア装置。
【請求項１１】
上記巻取り装置の少なくとも一側面上に配設され、かつ、上記キャリア本体の両側面少なくとも一方まで延設されたガイド装置を更に備え、
上記ガイド装置は、上記巻取り装置と上記ストラップとの間において、上記第一引込み式ワイヤの長さと、上記第二引込み式ワイヤの長さとを案内する、
請求項１０に記載のキャリア装置。
【請求項１２】
上記巻取り装置は、ケーシングを更に備え、
上記巻き部は、複数の第一歯状突起と、少なくとも１本の溝部とを更に備え、
上記溝部は、上記巻き部の周側面上に形成される、
請求項１０に記載のキャリア装置。
【請求項１３】
上記第一引込み式ワイヤの一端部は、上記ストラップの一端部を可動自在に貫通して上記溝部内に巻き付き、他端部は、上記ケーシング上に固定され、
上記第二引込み式ワイヤの一端部は、上記ストラップの一端部を可動自在に貫通して上記溝部内に巻き付き、他端部は、上記ケーシング上に固定され、
上記第一引込み式ワイヤと上記第二引込み式ワイヤは、それぞれ、上記巻き部の周りの上記各溝部内に配置される、
請求項１２に記載のキャリア装置。
【請求項１４】
上記ストラップの一端部は、上記引込み式ワイヤが配置されるプーリーを更に備える、
請求項１３に記載のキャリア装置。
【請求項１５】
上記巻き部は、第一溝部と第二溝部とを更に備え、
上記第一引込み式ワイヤの一端部は、上記第一溝部内に巻き付けられ、他端部は、上記ケーシング上に固定され、
上記第二引込み式ワイヤの一端部は、上記第二溝部内に巻き付けられ、他端部は、上記ケーシング上に固定される、
請求項１２に記載のキャリア装置。
【請求項１６】
上記巻き部は、螺旋バネを更に備え、
上記ラッチ装置は、上記各第一歯状突起の一部に対応する複数の第二歯状突起を有し、
上記第一歯状突起の一部は、上記巻き部の一面側の内周縁上に配列され、
上記螺旋バネは、上記巻き部における該内周縁を有する該一面側に対向する場所に配設される、
請求項１５に記載のキャリア装置。
【請求項１７】
上記ケーシングは、開口と、該開口の少なくとも一側に隣接する少なくとも１本のガイド溝穴とを更に備え、
上記ラッチ装置は、該ラッチ装置の少なくとも一側面に配設される少なくとも一つのひれ状突起を有し、
上記ひれ状突起は、上記ラッチ装置を上記開口上に可動自在に位置するように、上記ガイド溝穴内に配置される、
請求項１２に記載のキャリア装置。
【請求項１８】
調節可能なストラップを有するキャリア装置において、キャリア本体と、上記キャリア本体の一側面上に可動自在に配設される少なくとも１本のストラップと、上記キャリア本体の一側面上に配設される巻取り装置とを更に備え、上記巻取り装置は、１つの巻き部と、少なくとも１本の引込み式ワイヤと、ラッチ装置とを有し、また、上記引込み式ワイヤは、上記巻き部上に巻き付けられ、上記ラッチ装置は、上記巻取り装置に配設され、上記引込み式ワイヤと上記巻き部の間の相対運動を解除可能に制限する、キャリア装置の使用方法であって、
ラッチ装置を押して上記引込み式ワイヤと上記巻き部の間の相対運動に対する制限を解除する工程と、
上記ストラップと上記キャリア装置の間の長さを調節する工程と、
ラッチ装置を放して上記引込み式ワイヤと上記巻き部の間の相対運動を制限する工程と、
を備える、使用方法。
【請求項１９】
上記ストラップと上記キャリア装置の間の長さを調節する上記工程は、
上記ストラップが引込んで上記キャリア装置に接続するように該ストラップを調節することを含む、
請求項１８に記載の使用方法。
【請求項２０】
上記ストラップと上記キャリア装置の間の長さを調節する上記工程は、
上記ストラップに力を掛け、上記ラッチ装置を押して、上記キャリア装置から伸長する上記ストラップの長さを増大させることを含む、
請求項１８に記載の使用方法。
【請求項２１】
上記ストラップと上記キャリア装置の間の長さを調節する上記工程は、
上記ラッチ装置を押して、上記ストラップが引込んで上記キャリア装置に接続するように、該ストラップに掛かる力を解除することを含む、
請求項１８に記載の使用方法。
【請求項２２】
上記ストラップが上記キャリア装置から伸長すると、該ストラップの両端部が同時に上記キャリア装置から伸長する、
請求項１８に記載の使用方法。
【請求項２３】
上記ストラップが引込んで上記キャリア装置に戻ると、該ストラップの両端部が同時に引込んで上記キャリア装置に戻って、上記キャリア装置に接続する、
請求項１８に記載の使用方法。
【発明の詳細な説明】
【技術分野】
【０００１】
本発明は、キャリア装置上のストラップを適切な長さに調節するための引込み式ワイヤを有するキャリア装置に関する。
【背景技術】
【０００２】
一般に、キャリングバッグには、ハンドバッグ、メッセンジャーバッグ、ブリーフケース、または、バックパックが含まれる。キャリングバッグ上のストラップを調節する既知の手段には、通常、ストラップの長さを調節するための（ストラップ用フック、バックル、クランプ等の）各種部品が含まれる。バックルまたはストラップ用フックを有するバックパックに関しては、長さを調節する場合、ユーザーは、通常、先ずストラップ用フックからストラップを引張ってストラップに対する制限を解除し、それから、徐々にストラップを伸長したり引込めたりしなければならない。
【０００３】
しかし、上述のやり方では、ユーザーは、ストラップの長さを調節してストラップがユーザーの身体に馴染んで快適さを得るまでに時間と労力を要することがある。更に、先行技術におけるストラップは、快適さをもたらし、かつ、期待する長さになるようにユーザーの身体に対応して適切に調節されることがないこともある。
【０００４】
更に、先行技術には、調節可能なストラップを有するキャリングバッグが含まれる。このキャリングバッグは、また、キャリングバッグの両側面上に配設され、かつ、調節可能なストラップとキャリングバッグの間の相対運動を制限または解除するためのバックルを備える。調節可能なストラップは、バッグの底部に配設されるコイルバネに接続されており、バッグの底部に可動自在に巻き付けることができる。こうして、調節可能なストラップを伸長すると、コイルバネは、調節可能なストラップが引込んで元の長さに戻るための弾力を蓄積する。しかし、上述の構造では、コイルバネによってバッグの小型化が制限されることになり、該構造は、起こり得る構造的損傷を避けるためには、剛体材料からなるキャリングバッグに適用する必要がある。
【０００５】
こうして、社会は、ハンドバッグ、メッセンジャーバッグ、バックパックまたはその他小型のキャリア装置に使用される改良型ストラップを必要としている。
【発明の開示】
【発明が解決しようとする課題】
【０００６】
本発明の目的は、調節可能なストラップを有するキャリア装置を提供することにある。このキャリア装置は、ストラップの長さを素早くかつ効果的に調節する機能を有する。
【０００７】
本発明のもう一つの目的は、調節可能なストラップを有するキャリア装置を提供することにある。このキャリア装置は、各種小型キャリングバッグ用として適切なものである。
【０００８】
本発明の更にもう一つの目的は、調節可能なストラップを有するキャリア装置の使用方法を提供することにある。この使用方法によって、ユーザーが素早くかつ容易にストラップを適切な長さに調節することが可能となる。
【課題を解決するための手段】
【０００９】
本発明は、調節可能なストラップを有する新規なかつ改良されたキャリア装置、および、その使用方法を提供する。このキャリア装置は、調節されて、ユーザーのハンドバッグ、メッセンジャーバッグ、バッグパック、ブリーフケースまたはその他小型のキャリアバッグ上に配置される。いくつかの実施形態において、ユーザーは、バックル、ボタン、フックまたはその他同様の装置を解除しないまま、キャリア装置を肩に掛けて持ち運ぶことから、キャリア装置を手で持ち運ぶことに位置を切り替えることがある。
【００１０】
本発明は、調節可能なストラップを有するキャリア装置を提供する。このキャリア装置は、キャリア本体と、少なくとも１本のストラップと、巻取り装置とを備える。ストラップは、キャリア本体の一側面に可動自在に接続することができる。巻取り装置は、キャリア本体の一側面上に配設される。巻取り装置は、少なくとも１つの巻き部と、少なくとも１本の引込み式ワイヤと、ラッチ装置とを有する。引込み式ワイヤは、ストラップの一端部に接続され、そして、巻き部上に巻き付けられる。ラッチ装置は、巻取り装置上に配設され、引込み式ワイヤと巻き部の間の相対運動を解除可能に制限することができる。
【００１１】
更に好適な実施形態において、キャリア装置は、ガイド装置と、接続装置とを更に備える。ガイド装置は、巻取り装置の少なくとも一側面上に配設され、キャリア本体の少なくとも一側面まで延設され、巻取り装置とストラップの間において引込み式ワイヤを案内する。ガイド装置は、平行なかつ相隔てて配置される２つのガイド部を更に備える。ガイド部は、管またはその他管状の要素で作製することができ、キャリア本体一表面上の２箇所の凹部内にそれぞれ配設することができる。一方、他の各実施形態において、２つのガイド部は、キャリア本体の上記表面に突出する樋状溝から構成ことができる。接続装置はストラップの一端部に配設され、引込み式ワイヤは接続装置に可動自在に接続することができる。
【００１２】
もう一つの好適な実施形態において、巻取り装置は、ケーシングを更に備える。巻き部は、複数の歯状突起と、少なくとも１本の溝部とを更に備える。溝部は、巻き部の周側面上に形成される。引込み式ワイヤの一端部は、ストラップの一端部を可動自在に貫通して溝部内に巻き付き、他端部は、ケーシング上に固定される。ストラップの一端部、または、接続装置は、引込み式ワイヤを可動自在に掛架するプーリーを更に備える。引込み式ワイヤは、第一引込み式ワイヤと、第二引込み式ワイヤとを更に備える。第一引込み式ワイヤの一端部と第二引込み式ワイヤの一端部は、それぞれ、第一巻き部と第二巻き部に巻き付けられ、第一引込み式ワイヤの他端部と第二引込み式ワイヤの他端部は、キャリア本体の一側面上に固定される。巻き部は、螺旋バネを備える。ラッチ装置は、各第一歯状突起の一部に対応する複数の第二歯状突起を有する。上記第一歯状突起は、巻き部の一面側の内周縁上に配列される。螺旋バネは、巻き部における第一歯状突起を有する面側に対向する場所に配設される。
【００１３】
ケーシングは、ピボットと、第一ケーシングと、第二ケーシングと、開口と、ガイド溝穴を更に備える。巻き部は、ピボットを収容するための穴部を有する。ラッチ装置は、ストッパー板片と、少なくとも１つの螺旋バネと、フック部とを更に備える。第一ケーシングは、少なくとも１本の組付け用支柱を有し、第二ケーシングは、該組付け用支柱に連結するための少なくとも１つの組付け用穴部を有する。ラッチ装置は、該ラッチ装置の少なくとも一側面上に配設される少なくとも１つのひれ状突起を有する。ラッチ装置のひれ状突起は、ラッチ装置が開口上に可動自在に位置されるように、ガイド溝穴内に配置される。ラッチ装置を元の位置に戻すために、螺旋バネの一端部はケーシングに当接し、該螺旋バネの他端部はストッパー板片に当接する。フック部は、該フック部の一端部に形成される突起を更に備える。ストッパー板片は、ストッパー開口と、該ストッパー開口の一端部に配設されるすそ部とを備える。ストッパー開口は、フック部を収容し、突起をすそ部上に定置させる。
【００１４】
本発明は、引込み式ワイヤを有するキャリア装置を更に備える。キャリア装置は、キャリア本体と、少なくとも１本のストラップと、巻取り装置とを更に備える。ストラップは、２つの端部を有し、これら２つの端部は、キャリア本体の一側面に可動自在に接続することができる。巻取り装置は、キャリア本体の底部上に配設される。巻取り装置は、少なくとも１つの巻き部と、第一引込み式ワイヤと、第二引込み式ワイヤと、ラッチ装置とを有する。第一引込み式ワイヤは、ストラップの一端部に接続され、第二引込み式ワイヤは、ストラップの他端部に接続される。第一引込み式ワイヤと第二引込み式ワイヤは、巻き部内に巻き付けられる。ラッチ装置は、巻取り装置上に配設され、ユーザーが素早くかつ容易にストラップを適切な長さに調節するために、引込み式ワイヤと巻き部の間の相対運動を解除可能に制限することができる。
【００１５】
本発明は、また、引込み式ワイヤを有するキャリア装置において、キャリア本体と、該キャリア本体の一側面上に可動自在に接続される少なくとも１本のストラップと、巻取り装置とを更に備えるキャリア装置の使用方法を提供する。巻取り装置は、キャリア本体の底部に配設される。巻取り装置は、１つの巻き部と、少なくとも１本の引込み式ワイヤと、ラッチ装置とを有する。引込み式ワイヤは、巻き部内に巻き付けられる。ラッチ装置は、巻取り装置上に配設され、巻き部と引込み式ワイヤの間の相対運動を解除可能に制限することができる。キャリア装置の使用方法は、先ずラッチ装置を押して巻き部と引込み式ワイヤの間の相対運動に対する制限を解除して、キャリア装置から伸長するストラップの長さを調節し、また、ユーザーが持ち運ぶときにストラップが伸長したり引込んだりしないように抑止するために、ラッチ装置を放して巻取り装置巻き部と引込み式ワイヤの間の相対運動を制限する。
【００１６】
更に好適な各実施形態において、ストラップを調節する工程は、ストラップに力を掛けると同時にラッチ装置を押して、キャリア装置から伸長するストラップの長さを延ばし、または、ラッチ装置を押すと同時にストラップに掛かる力を解除することによって、ストラップを引込めてキャリア装置に接続することを可能にすることを含んでなる。更に、ラッチ装置を押している間に、引込み式ワイヤの一端部は、ストラップの一端部を貫通し、引込み式ワイヤの他端部に対して近づくように、または、遠ざかるようにストラップを案内する。
【発明の効果】
【００１７】
本発明は、調節可能なストラップを有するキャリア装置を提供し、このキャリア装置は、ストラップの長さを素早くかつ効果的に調節する機能を有する。
【発明を実施するための最良の形態】
【００１８】
本発明は、ラッチ装置を有する巻取り装置を用いたキャリア装置を提供し、簡単な操作でストラップを伸長しかつ引込めるようにする。より好適な各実施形態において、キャリア装置には、ハンドバッグ、メッセンジャーバッグ、ブリーフケース、キャリングバッグ、バッグパックまたは各種小型キャリイングバッグ等が含まれる。ストラップには、肩ストラップ、グリップまたはハンドル等が含まれる。
【００１９】
以下の説明において、図面を参照して本発明を詳しく説明する。
【００２０】
図１および図２が示すように、キャリア装置２００は、キャリア本体２１０と、少なくとも１本のストラップ２２０と、巻取り装置１０とを備える。ストラップ２２０は、キャリア装置２１０の一側面上に可動自在に配設される。巻取り装置１０は、キャリア装置２１０の一側面上に配設され、好ましくは、キャリア装置２１０の底部中央に配設される。キャリア装置２１０の上記一側面は、キャリア装置２１０における６つの側面のうちどの一側面であってもよい。巻取り装置１０は、少なくとも１つの巻き部１４と、第一引込み式ワイヤ１８ａと、第二引込み式ワイヤ１８ｂと、ラッチ装置１６とを備える。第一引込み式ワイヤ１８ａの一端部は、ストラップ２２０に接続し、他端部は、巻き部１４内に配設される。第二引込み式ワイヤ１８ｂの一端部は、ストラップ２２０に接続し、他端部は、巻き部１４上に巻きつけられる。ラッチ装置１６は、巻取り装置１０上に配設され、引込み式ワイヤ１８と巻き部１４の間の相対運動を解除可能に制限する。
【００２１】
図１に例示する実施形態において、巻取り装置１０は、ケーシング１２を更に備える。巻き部１４は、第一巻き部１４ａと、第二巻き部１４ｂとを備え、それぞれ、ケーシング１２の両側に配設される。第一巻き部１４ａと第二巻き部１４ｂは、それぞれ、該第一巻き部１４ａと該第二巻き部１４ｂを回転させて第一引込み式ワイヤ１８ａと第二引込み式ワイヤ１８ｂを引込ませる弾力を蓄積するために設けられた螺旋バネ（図示せず）を有する。第一引込み式ワイヤ１８ａと第二引込み式ワイヤ１８ｂが伸長したとき、この螺旋バネは、該螺旋バネにおける変形によるトルクによって生じる弾力を漸次蓄積する。螺旋バネがその蓄積した弾力を放出したとき、螺旋バネは、第一巻き部１４ａと第二巻き部１４ｂを回転させて、第一引込み式ワイヤ１８ａと第二引込み式ワイヤ１８ｂを引込んで第一巻き部１４ａと第二巻き部１４ｂ上に巻き付ける。
【００２２】
更に、第一巻き部１４ａと第二巻き部１４ｂは、周縁にそれぞれ複数の歯状突起を更に備える。これらの歯状突起は、ラッチ装置１６の両側にそれぞれ設けた円板（図示せず）に連結されて、第一巻き部１４ａと第一引込み式ワイヤ１８ａの間の相対運動と、第二巻き部１４ｂと第二引込み式ワイヤ１８ｂの間の相対運動とを制限または解除するために設けられる。言い換えれば、ラッチ手段１６を押すと、第一巻き部１４ａと第一引込み式ワイヤ１８ａの間の相対運動と、第二巻き部１４ｂと第二引込み式ワイヤ１８ｂの間の相対運動とに対する制限を解除する。第一引込み式ワイヤ１８ａは、第一巻き部１４ａから伸長したり、第一巻き部１４ａに引込んだりすることができ、第二引込み式ワイヤ１８ｂは、第二巻き部１４ｂから伸長したり、第二巻き部１４ｂに引込んだりすることができる。逆に、ラッチ手段１６を放すと、第一巻き部１４ａと第一引込み式ワイヤ１８ａの間の相対運動と、第二巻き部１４ｂと第二引込み式ワイヤ１８ｂの間の相対運動とを制限する。そして、第一引込み式ワイヤ１８ａと第二引込み式ワイヤ１８ｂは、それぞれ、第一巻き部１４ａと第二巻き部１４ｂ内に引込まれないように抑止される。
【００２３】
巻き部１４と引込み式ワイヤ１８を収容するためには、ケーシング１２の寸法が、厚さ０．５インチ、幅２．５インチ、長さ６インチであることが好ましい。こうして、巻取り装置１０は、財布、ハンドバッグ、バックパックまたはその他小型キャリングバッグの底部、側面または上部に配設するのに十分小型で軽量なものとなる。
【００２４】
図２に例示される実施形態において、キャリア装置２００には、財布、キャリングバッグ、メッセンジャーバッグまたはその他類似したキャリングバッグが含まれる。キャリア本体２１０には、開放構造を有する非剛性または半剛性のキャリングバッグが含まれる。開放構造は、ジッパー、バックル、ボタン、ベルクロ、ステッカー（粘着性のもの）またはその他適切な要素から構成することができる。キャリア本体２１０は、天然繊維、化学繊維、天然皮革、合成皮革またはその他適切な材料で作製することができる。キャリア本体２１０の外観には、どんな一意または既知のデザインも含まれる。ストラップ２２０は、該ストラップ２２０をユーザーの肩に掛けて心地良い天然繊維、化学繊維、天然皮革、合成皮革またはその他適切な非剛体材料からなる材料で作製することができる。
【００２５】
巻取り装置１０は、好ましくは、キャリア本体２１０の底部中心に配設され、ネジ、リベット、接着剤、または、その他既知の方法または要素を用いてキャリア本体２１０に取り付けられる。巻取り装置１０は、ラッチ装置１６、第一引込み式ワイヤ１８ａと、第二引込み式ワイヤ１８ｂとを備える。第一引込み式ワイヤ１８ａと第二引込み式ワイヤ１８ｂは、一群の金属、プラスチックまたはその他適切な材料からなる材料で作製され、好ましくは、ナイロンで被覆された金属線で作製することができる。引込み式ワイヤ１８には、巻取り装置１０の用途に応じて様々な径または様々な長さを設けることができる。本実施形態において、キャリア装置２００は、ガイド装置２３０と、接続装置２４０とを更に備える。ガイド装置２３０は、巻取り装置１０の両側に配設され、キャリア本体２１０の両側面の各一端部まで延設される。ガイド装置２３０は、巻取り装置１０とストラップ２２０の間において引込み式ワイヤ１８を収容しかつ案内するために設けられる。ガイド装置２３０は、平行なかつ相隔てて配置される一対のガイド部から構成することができる。このガイド部は、管またはその他管状の要素で作製することができ、金属およびプラスチック等の耐久性かつ可撓性の材料から構成することができる。各ガイド部は、好ましくは、キャリア本体２１０における一表面上の２箇所の凹部内にそれぞれ配設される。ガイド装置２３０は、第一引込み式ワイヤ１８ａと第二引込み式ワイヤ１８ｂがこれらの凹部内で移動するために設けられる。一方、他の各異なる実施形態において、ガイド装置２３０は、キャリア本体２１０の上記表面に突出する隆条部から構成することができる。接続装置２４０は、ストラップ２２０両端部のそれぞれに配設することができる。ストラップ２２０は、好ましくは、第一引込み式ワイヤ１８ａと第二引込み式ワイヤ１８ｂが可動自在に通る穴部（図示せず）を有する。一方、他の各異なる実施形態において、接続装置２４０には、固定された接続装置、取外し可能な接続装置、または、調節可能な接続装置等、その他適切な装置も含まれる。
【００２６】
第一引込み式ワイヤ１８ａの一端部と第二引込み式ワイヤ１８ｂの一端部は、接続装置２４０の一端部を通り、そして、第一巻き部１４ａと第二巻き部１４ｂに巻き付けられる。第一引込み式ワイヤ１８ａの他端部と第二引込み式ワイヤ１８ｂの他端部は、支柱、ボルトまたはその他適切な要素を用いることによって、ケーシング１２上の側面開口（図示せず）に固定される。一実施形態において、第一・第二引込み式ワイヤは、また、ストラップ２２０の一端部に通すことができる。つまり、ストラップ２２０の両端部を折り返して縫い合わせて、上記第一・第二引込み部１８ａ、１８ｂを通す開口を形成する。そして、第一・第二引込み部１８ａ、１８ｂは、ガイド装置２３０を通って、第一巻き部１４ａと第二巻き部１４ｂに巻き付けられる。こうして、ストラップ２２０の調整（伸長または引込み）には、ストラップ２２０を伸長したり引込めたりするために、ラッチ装置１６を押して、第一巻き部１４ａと第一引込み式ワイヤ１８ａの間の相対運動と、第一巻き部１４ｂと第一引込み式ワイヤ１８ｂの間の相対運動とを解除することが伴う。そうして、第一引込み式ワイヤ１８ａと第二引込み式ワイヤ１８ｂが一方向に沿って伸長したり引込んだりすることになる。逆に、ラッチ装置１６に対する力を解除すると、ラッチ装置１６は、第一巻き部１４ａと第一引込み式ワイヤ１８ａの間の相対運動と、第一巻き部１４ｂと第一引込み式ワイヤ１８ｂの間の相対運動とを制限して、一方向に沿った第一引込み式ワイヤ１８ａと第二引込み式ワイヤ１８ｂの引込みを制止する。それによって、ストラップ２２０は、引込まれてキャリア装置２１０に戻らないように抑止されることになる。
【００２７】
上記各実施形態において、第一引込み式ワイヤ１８ａと第二引込み式ワイヤ１８ｂは、巻取り装置１０の両短辺側面からキャリア本体２１０の２つの上面部まで伸長するものであることを強調しておかなければならない。上記各上面部は、キャリア本体２１０における比較的狭い面積を有する２つの対向面部である。しかし、図３、図４ａおよび図４ｂに例示する実施形態において、第一引込み式ワイヤと第二引込み式ワイヤは、巻取り装置１０の両長辺側面からキャリア装置３１０の各上面部まで伸長する。上記各上面部は、キャリア本体３１０における比較的広い面積を有する２つの対向面部である。言い換えれば、第一引込み式ワイヤ１８ａと第二引込み式ワイヤ１８ｂは、それぞれ、キャリア装置３１０における比較的広い面積を有する両対向面部から伸長して、ストラップ２２０の両端部に接続する。このように、キャリア装置３００には、ハンドバッグまたはブリーフケース等が含まれる。キャリア本体３１０には、開放構造を有する非剛性または半剛性のキャリングバッグが含まれる。開放構造を閉鎖するための手段には、ジッパー、バックル、ボタン、ベルクロまたはその他適切な開放構造閉鎖手段が含まれる。キャリア本体３１０とストラップ３２０は、手で持ち運んだり握ったりして心地良い天然繊維、化学繊維、天然皮革、合成皮革またはその他適切な非剛体材料からなる材料で作製することができる。
【００２８】
図３および図４ａに例示する実施形態において、巻取り装置１０は、キャリア本体３１０の底部中央に配設することができ、また、巻取り装置１０は、ネジ、リベット、接着剤、または、その他既知の方法または要素を用いて、キャリア本体３１０上に取り付けることができる。巻取り装置１０は、ラッチ装置１６と、第一巻き部１４ａと、第二巻き部１４ｂとを有する。第一巻き部１４ａは、第一引込み式ワイヤ１８ａと、第二引込み式ワイヤ１８ｂとを有し、第二巻き部１４ｂも、第一引込み式ワイヤ１８ａと、第二引込み式ワイヤ１８ｂとを有する。言い換えれば、各巻き部は、同時に該巻き部から伸長したり該巻き部に引込んだりする２本の引込み式ワイヤを有する。第一巻き部１４ａと第二巻き部１４ｂは、周縁に複数の歯状突起を有する。これらの歯状突起は、ラッチ装置１６両側の円板に連結するために設けられ、第一巻き部１４ａと第一引込み式ワイヤ１８ａの間の相対運動と、第二巻き部１４ｂと第二引込み式ワイヤ１８ｂの間の相対運動とを制限または解除する。ガイド装置３３０は、巻取り装置１０の両長辺側面から、キャリア本体における比較的広い面積を有する両対向側面を渡って、各上面部まで延設することができる。ガイド装置３３０は、キャリア本体３１０の上記表面上の凹部内に配設される。ガイド装置３３０は、管またはその他管状の要素で作製することができ、金属およびプラスチック等の耐久性かつ可撓性の材料から構成することができる。接続装置３４０は、ストラップ３２０の一部であってもよい。ストラップ３２０の一端部は、折り曲げて縫い合わせることができ、そして、好ましくは、これに穴部を有するプラスチック被覆を装着することができる。この穴部は、第一・第二引込み式ワイヤ１８ａ、１８ｂが可動自在に通るように設けられる。一方、図４ｂに例示する実施形態において、ストラップ３２０の各端部には、接続装置３４０が装着されて、それぞれ、第一・第二引込み式ワイヤ１８ａ、１８ｂに接続することができる。プーリー３５０は、好ましくは、接続装置３４０内に配設され、接続装置３４０に対して相対的に回転する。
【００２９】
図４ａに例示する実施形態において、第一引込み式ワイヤ１８ａの一端部と第二引込み式ワイヤ１８ｂの一端部は、巻取り装置１０の両長辺側面から伸長して、ガイド装置３３０に沿って進み、そして、ストラップ３２０の一端部上に固定することができる。第一引込み式ワイヤ１８ａと第二引込み式ワイヤ１８ｂの各他端部は、第一巻き部１４ａと第二巻き部１４ｂ内に配設される。一方、図４ｂに例示する実施形態において、第一引込み式ワイヤ１８ａの一端部と第二引込み式ワイヤ１８ｂの一端部は、巻取り装置１０の両長辺側面から伸長して、ガイド装置３３０と接続装置３４０のプーリー３５０とを通って進み、そして、再びガイド装置３３０を通って、キャリア装置３１０の底部またはその他任意の位置に固定される。こうして、第一・第二引込み式ワイヤ１８ａ、１８ｂは、該第一・第二引込み式ワイヤ１８ａ、１８ｂを伸長したり引込めたりする使用感のみならずそれを知覚できる感度をも高めるために、接続装置３４０のプーリー３５０との間の相対運動を発生させることができる。
【００３０】
ユーザーがストラップ３２０に力を掛けて該ストラップ３２０を上方に引くと同時にラッチ装置１６を押すと、ラッチ装置１６は、第一巻き部１４ａと第一引込み式ワイヤ１８ａの間の相対運動と、第二巻き部１４ｂと第二引込み式ワイヤ１８ｂの間の相対運動とに対する制限を解除する。そうして、ユーザーは、ストラップ３２０がキャリア本体に対して伸長したり引込んだりするように、第一・第二引込み式ワイヤ１８ａ、１８ｂを同時に伸長したり引込めたりすることができるようになる。ラッチ装置１６を放すと、該ラッチ装置１６は、第一巻き部１４ａと第一引込み式ワイヤ１８ａの間の相対運動と、第二巻き部１４ｂと第二引込み式ワイヤ１８ｂの間の相対運動とを制限する。こうして、ストラップ３２０は、キャリア本体３１０に対して伸長したり引込んだりすることができなくなる。
【００３１】
ここで、キャリア本体３１０から伸長するストラップ３２０の長さは、第一引込み式ワイヤ１８ａの伸長長さに、また、第二引込み式ワイヤ１８ｂの伸長長さに等しいことを説明しておかなければならない。更に、図４ｂに例示する実施形態において、ストラップ３２０が伸長すると、第一・第二引込み式ワイヤ１８ａ、１８ｂは、ストラップ３２０と同じ方向に（第一・第二巻き部１４ａ、１４ｂから遠ざかるように）伸長する。逆に、ストラップ３２０が引込むと、第一・第二引込み式ワイヤ１８ａ、１８ｂは、ストラップ３２０と同じ方向に（第一・第二巻き部１４ａ、１４ｂに近づくように）引込む。
【００３２】
図５が示すように、キャリア装置４００は、バックパックまたはキャリングバッグ等の単一の肩ストラップ４２０を有するキャリア本体４１０から構成することもできる。一方、図６に例示する実施形態において、キャリア装置５００は、２本の肩ストラップ５２０を有するキャリア本体５１０から構成することができる。図５および図６に例示するキャリア本体４１０、５１０には、開放構造を有する先行技術における非剛性または半剛性のバッグが含まれる。キャリア本体４１０、５１０とストラップ４２０、５２０は、天然繊維、化学繊維、天然皮革、合成皮革またはその他適切な材料からなる材料で作製することができる。キャリア本体４１０、５１０の外観には、ユーザーの一方または両方の肩に掛けて心地良いどんな一意または既知のデザインも含まれる。
【００３３】
図５に例示する実施形態において、ストラップ４２０は、２つの端部を有しており、その一端部は、キャリア本体４１０の一端部に固定可能に接続され、他端部は、キャリア本体４１０の他端部に可動自在に接続される。巻取り装置１０は、キャリア本体４１０の底部中央に配設される。巻取り装置１０は、ネジ、リベット、接着剤、または、その他既知の方法または要素を用いて、キャリア本体４１０上に固定される。巻取り装置１０は、巻き部１４と、引込み式ワイヤ１８と、ラッチ装置１６とから構成される。ラッチ装置１６は、巻き部１４周縁の歯状突起と連結する円板（図示せず）を有する。こうして、ラッチ装置１６は、巻取り装置１０の一側面上を移動することによって、巻き部１４と引込み式ワイヤ１８の間の相対運動を制限することができる。一方、他の各異なる実施形態において、接続装置４４０は、ストラップ４２０を折り曲げて縫い合わせることによって、または、その他適切な方法によって、引込み式ワイヤ１８が通るように形成することができる。
【００３４】
本実施形態において、巻取り装置１０は、好ましくは、ストラップ４２０の一端部と対応使用するための、１つの巻き部１４と１本の引込み式ワイヤ１８を有する。一方、図６に例示する実施形態において、巻取り装置１０は、２本のストラップ５２０の各一端部、または、１本のストラップの両端部と対応使用するための、複数の巻き部１４ａ、１４ｂと引込み式ワイヤ１８ａ、１８ｂを有することができる。引込み式ワイヤの一端部は、ガイド装置を介して進み、接続装置４４０の一端部（またはストラップの一端部）を通り、そして、再びガイド装置４３０を通って巻き部１４に巻き付けられる。引込み式ワイヤ１８の他端部は、ケーシング１２上に固定される。上記接続装置４４０は、引込み式ワイヤ１８が可動自在に通るための穴部（図示せず）を有する。ユーザーがストラップ１４に力を掛けると同時にラッチ装置１６を押すと、該ラッチ装置１６によって、巻き部１４が、ストラップ４２０を引張ったり引込んだりするように、巻取り装置１０内で回転することが可能になる。ラッチ装置１６に対する力を解除すると、ラッチ装置１６は、巻き部１４と引込み式ワイヤ１８の間の相対運動を制限する。それによって、ラッチ装置１６は巻き部１４が巻取り装置１０内で回転しないように制限し、こうして、ストラップ４２０が引張られたり引込まれたりしないように抑止されることにもなる。
【００３５】
例示する実施形態において、キャリア装置５００には、２本の肩ストラップ５２０を有するバックパックまたはその他のキャリングバッグが含まれる。ストラップ５２０の各一端部は、キャリア本体５１０の上側面に固定可能に接続され、ストラップ５２０の各他端部は、キャリア本体５１０の底部に可動自在に接続される。ガイド装置５３０は、巻取り装置１０の両側に配設され、キャリア本体５１０底部の両対向側面からストラップ５２０の各一端部まで延設される。図６が示すように、ストラップ５２０の一端部は、キャリア本体５１０の一部でもあってもよい。つまり、キャリア本体５１０またはその一部分から伸長する延長ストラップは、ストラップ５２０に接続される。接続装置５４０は、延長ストラップ上、または、ストラップ５２０の一端部上に配設することができる。一方、他の各実施形態において、接続装置５４０は、ストラップ５２０の一端部を折り曲げて縫い合わせることによって形成することができる。
【００３６】
本実施形態において、巻取り装置１０は、ラッチ装置１６と、第一巻き部１４ａと、第二巻き部１４ｂとを有する。第一巻き部１４ａと第二巻き部１４ｂは、それぞれ、巻取り装置１０の両短辺側面から伸長する、第一引込み式ワイヤ１８ａと第二引込み式ワイヤ１８ｂを有する。こうして、第一・第二引込み式ワイヤ１８ａ、１８ｂの各一端部は、巻取り装置１０の一短辺側面から伸長して、ガイド装置５３０に沿って接続装置５４０の一端部を通り、そして、第一・第二巻き部１４ａ、１４ｂに巻き付けられ、他端部は、ケーシング１２上に固定される。ユーザーがストラップ５２０に力を掛けると同時にラッチ装置１６を押すと、ラッチ装置１６は、第一引込み式ワイヤ１８ａと第一巻き部１４ａの間の相対運動と、第二引込み式ワイヤ１８ｂと第二巻き部１４ｂの間の相対運動とに対する制限を解除して、ストラップ５２０が伸長したり引込んだりするようになる。ラッチ装置１６を放すと、ラッチ装置１６は、第一引込み式ワイヤ１８ａと第一巻き部１４ａの間の相対運動と、第二引込み式ワイヤ１８ｂと第二巻き部１４ｂの間の相対運動とを制限し、こうして、ストラップ５２０が伸長したり引込んだりしないように抑止される。
【００３７】
図７は、本発明による巻取り装置の斜視図であり、図８ａおよび図８ｂは、その分解図である。本発明の巻取り装置２０は、ラッチ装置７０と、少なくとも１本の引込み式ワイヤ５０と、ケーシング２２とを備える。ケーシング２２は、巻き部３０と、引込み式ワイヤ５０と、その他の要素とを収容するために設けられる。巻き部３０は、複数の第一歯状突起３２と、少なくとも１条の溝部３６とを更に備え、溝部３６は、引込み式ワイヤ５０が巻き付けられるように巻き部３０の周面上に形成される。図８ａおよび図８ｂに例示される実施形態において、引込み式ワイヤは、第一引込み式ワイヤ５０と、第二引込み式ワイヤ６０とを更に備える。巻き部３０は、第一引込み式ワイヤ５０の一端部と第二引込み式ワイヤ６０の一端部とがそれぞれ可動自在に巻き付けられる、第一溝部３６と第二溝部３８を備える。そして、第一・第二引込み式ワイヤ５０、６０の他端部は、支柱状に、または、その他の方法を用いて、ケーシング２２の開口（図示せず）上に固定される。第一・第二引込み式ワイヤ５０、６０は、一軸線を中心として同じ方向に巻き付けられるが、これら両ワイヤは、巻き部３０における２箇所の対向位置に取り付けることができる。こうして、巻き部３０が一方向に回転すると、第一引込み式ワイヤ５０と第二引込み式ワイヤ６０は同時に伸長したり引込んだりすることができる。
【００３８】
更に、第一溝部３６と第二溝部３８は、好ましくは、同じ軸線を有し、好ましくは、互いに隣り合っている。巻き部３０は、螺旋バネ３４または変形によってトルクを発生することができるその他のバネを更に備える。ラッチ装置７０は、各第一歯状突起３２に対応する複数の第二歯状突起８２を有する。第一歯状突起３２は、巻き部３０の一面側の内周縁上に配置され、螺旋バネ３４は、第一歯状突起３２を有する巻き部３０の面側と対向する場所に配設される。第一引込み式ワイヤ５０と第二引込み式ワイヤ６０がキャリア本体から伸長すると、螺旋バネ３４は、それに対応して変形し、第一引込み式ワイヤ５０と第二引込み式ワイヤ６０を引込むために後で利用する弾力を蓄積する。
【００３９】
図８ａおよび図８ｂに例示する実施形態において、ケーシング２２は、支柱２８と、第一ケーシング２２ａと、第二ケーシング２２ｂと、開口２９と、ガイド溝穴２７とを更に備える。開口２９とガイド溝穴２７は、第一ケーシング２２ａと第二ケーシング２２ｂのうちどちらか一方のケーシング上に配設される。ガイド溝穴２７は開口２９の両側に配設され、ラッチ装置７０は、ラッチ装置７０の両側面上にそれぞれ配設される一対のひれ状突起７２を有する。各ひれ状突起７２は、ラッチ装置が開口２９上に可動自在に位置されるように、ガイド溝穴２７内に配置される。こうして、ラッチ装置７０は、巻取り装置１０の第一ケーシング２２ａ上を選択的に移動することができる。第一ケーシング２２ａは、少なくとも１本の組付け用支柱２４を有し、第二ケーシング２２ｂは、該組付け用支柱２４を収容するための少なくとも１つの組付け用穴部２６を有する。外部から組付け用穴部２６に通すものとしては、ネジ（図示せず）を使用することが好ましく、組付け用支柱２４を第二ケーシング２２ｂ上に固定する。こうして、巻取り装置１０をキャリア本体（図示せず）の一側面上に固定することができる。一方、他の各実施形態において、第二ケーシング２２ｂは、組付け用支柱２４に連結されるストッパーを備えることもできる。
【００４０】
ラッチ装置７０は、ストッパー板片８０と、少なくとも１本の螺旋バネ８４と、フック部７４とを更に備える。ラッチ装置７０を元の位置に戻すために、螺旋バネ８４の一端部は、ケーシング２２（第一ケーシング２２ａ）に当接し、他端部は、ストッパー板片８０に当接する。図９も示すように、ラッチ装置７０を押すと、ストッパー板片８０の第二歯状突起８２が巻き部３０の第一歯状突起３２から分離される。同時に、螺旋バネ８４が圧縮され、こうして、弾性エネルギーが蓄積される。言い換えれば、ラッチ装置７０は、巻き部３０と引込み式ワイヤ５０、６０の間の相対運動に対する制限を解除する。こうして、第一引込み式ワイヤ５０と第二引込み式ワイヤ６０は、それぞれ、第一溝部３６と第二溝部３８から伸長することができ、または、第一溝部３６と第二溝部３８内に巻き付けることができる。
【００４１】
逆に、ラッチ装置７０に対する力を解除すると、螺旋バネ８４は、同時に、蓄積された弾性エネルギーを放出し、ラッチ装置７０を押して、ラッチ装置７０に力を掛ける前の位置に進める。同時に、第二歯状突起８２は、巻き部３０上の第一歯状突起３２に結合し、こうして、ラッチ装置７０は、巻き部３０を回転しないように抑止する。それによって、ラッチ装置７０は、巻き部３０と第一・第二引込み式ワイヤ５０、６０の間の相対運動を制限することになる。言い換えれば、ラッチ装置７０に対する力を解除すると、ストッパー板片８０の螺旋バネ８４は、ラッチ装置７０を第一ケーシング２２ａのガイド長溝２７に沿って、ラッチ装置７０に力を掛ける前の位置まで移動させる自らの弾性エネルギーを放出する。更に、ラッチ装置７０の各フック部７４は、それぞれ、突起７６を有する。ストッパー板片８０は、ストッパー開口８６と、該ストッパー開口８６の両側面上に配設されるすそ部８８とを備える。ストッパー開口８６は、フック部７４を収容するために、また、突起７６がストッパーすそ部８８上に配置されるように設けられる。こうして、ストッパー板片８０をラッチ装置７０に連結することができる。一方、各異なる実施形態において、ラッチ装置７０とストッパー板片８０とを一体形成することができる。
【００４２】
図１０ａおよび図１０ｂは、上述の巻取り装置を使用するキャリア装置の斜視図である。本発明の（バックパックまたはメッセンジャーバッグ等の）キャリア装置６００は、キャリア本体６１０と、２つの端部を有する少なくとも１本のストラップ６２０と、巻取り装置２０とを備える。ストラップ６２０の両端部は、それぞれ、キャリア本体６１０の一側面に可動自在に接続することができる。キャリア本体６１０には、開放構造を有する非剛性キャリングバッグが含まれ、該開放構造には、ジッパー、バックル、ボタン、ベルクロまたはその他適切な要素が含まれる。格納構造とストラップ６２０の材料には、天然繊維、化学繊維、天然皮革、合成皮革またはその他適切な材料が含まれる。キャリア本体６１０とストラップ６２０の外観には、それらをユーザーの肩に掛けて心地良いどんな一意または既知のデザインも含まれる。
【００４３】
巻取り装置２０は、ラッチ装置７０と、第一引込み式ワイヤ５０と、第二引込み式ワイヤ６０とを備える。巻取り装置は、好ましくは、キャリア本体６１０の底部中心に配設される。巻取り装置２０の第一引込み式ワイヤ５０は、ストラップ６２０の一端部に接続され、第二引込み式ワイヤ６０は、ストラップ６２０の他端部に接続される。こうして、第一引込み式ワイヤ５０と第二引込み式ワイヤ６０は、ストラップ６２０と伴に移動する。第一・第二引込み式ワイヤ５０、６０の材料には、どんな既知の材料も含まれるが、それらはナイロン被覆を有する金属ケーブルから構成されることが好ましい。ラッチ装置７０は、巻き部と第一・第二引込み式ワイヤ５０、６０の間の相対運動を制限したり解除したりするために、複数の第二歯状突起（図示せず）を用いて、複数の第一歯状突起（図示せず）に連結される（以上および図９に述べた通り）。ガイド装置６３０は、巻取り装置２０の両側に配設され、キャリア本体６１０の両側面上部まで延設される。ガイド装置６３０は、第一・第二引込み式ワイヤ５０、６０を案内するために用いられる。本実施形態において、ガイド装置６３０は、第一・第二引込み式ワイヤ５０、６０を円滑にかつ支障なく移動するように案内するための平行なかつ相隔てて配置される一対の凹部を備える。この凹部は、管またはその他管状の要素で作製することができ、金属またはプラスチック等の耐久性かつ可撓性の材料から構成することができる。一方、他の各実施形態において、ガイド装置６３０は、キャリア本体６１０の一表面に突出する隆条部から構成することができる。
【００４４】
接続装置６４０は、ストラップ６２０の両端部に配設され、その内部には、第一・第二引込み式ワイヤ５０、６０を伸長したり引込めたりする使用感のみならずそれを知覚できる感度をも高めるために、第一・第二引込み式ワイヤ５０、６０を可動自在に巻き付けるプーリー６５０が配設される。一方、他の各異なる実施形態において、接続装置６４０の一端部は、第一・第二引込み式ワイヤ５０、６０が可動自在に通る穴部を有することができる。接続装置６４０は、第一引込み式ワイヤ５０と第二引込み式ワイヤ６０をストラップ６２０に接続するために、ストラップの一端部を折り曲げて縫い合わせることによって形成することができる。
【００４５】
図１０ａに例示する実施形態において、ユーザーが力を掛けてキャリア本体６１０から遠ざかるようにストラップ６２０を引張ると同時にラッチ装置７０を押すと、ラッチ装置７０は、第一・第二引込み式ワイヤ５０、６０と巻き部（図示せず）の間の相対運動に対する制限を解除する。そうして、第一引込み式ワイヤ５０と第二引込み式ワイヤ６０を引張ったり引込んだりすることができ、こうして、ストラップ６２０を引張ったり引込んだりすることができる。更に、ストラップ６２０を引張ると、第一引込み式ワイヤ５０と第二引込み式ワイヤ６０をストラップ６２０と同じ方向に（巻き部から遠ざかるように）伸長することができる。逆に、ストラップ６２０を引込むと、第一引込み式ワイヤ５０と第二引込み式ワイヤ６０もストラップ６２０と同じ方向に（巻き部に近づくように）引込む。図１０ｂに例示する実施形態において、ラッチ装置７０に掛けた力を解除すると、ラッチ装置７０は、巻き部（図示せず）と第一・第二引込み式ワイヤ５０、６０の間の相対運動を制限し、こうして、ラッチ装置７０は、巻き部（図示せず）を巻取り装置２０内で回転しないように抑止する。第一引込み式ワイヤ５０と第二引込み式ワイヤ６０とストラップ６２０は、こうして、引込んだり伸長したりすることができなくなる。
【００４６】
図１１が示すように、キャリア装置７００は、単一ストラップ７２０を有するキャリア本体７１０（財布、ハンドバッグまたはキャリングバッグ等）を備えることができる。一方、他の各実施形態において、キャリア装置７００は、２本の肩ストラップ７２０を有するキャリア本体７１０に使用することもできる。キャリア本体７１０には、開放構造を有する先行技術における剛性または非剛性のキャリングバッグが含まれる。キャリア本体７１０とストラップ７２０の材料は、天然繊維、化学繊維、天然皮革、合成皮革またはその他適切な材料で構成することができる。キャリア本体の外観には、肩に掛け、または、手に握って心地良いどんな一意または既知のデザインも含まれる。
【００４７】
本実施形態において、巻取り装置２０は、キャリア本体７１０の底部中心に配設される。巻取り装置２０は、また、ネジ、リベット、接着剤、または、その他既知の方法または要素を用いてキャリア本体７１０上に固定される。巻取り装置２０は、好ましくは、ストラップ７２０の一端部と連動して用いられる引込み式ワイヤ５０とラッチ装置７０を備える。言い換えれば、ストラップ７２０の一端部は、キャリア本体７１０の一端部と固定的に接続され、ストラップ７２０の他端部は、キャリア本体７１０の他端部に可動自在に接続される。ストラップ７２０は、引込み式ワイヤ５０と伴に動作して、キャリア本体７１０から伸長するストラップ７２０の長さが調節される。ラッチ装置７０は、巻き部と引込み式ワイヤ５０の間の相対運動を制限したり解除したりするために、複数の第二歯状突起を用いて、巻き部における複数の第一歯状突起に連結される（以上および図９で説明した各実施形態を参照のこと）。ガイド装置７３０は、巻取り装置２０の一側に配設され、巻取り装置２０の一短辺側面からキャリア本体７１０の一側面上部まで延設される。接続装置７４０は、ストラップ７２０と引込み式ワイヤ５０にそれぞれ接続される。プーリー７５０は、ストラップ７２０を伸長したり引込めたりする使用感のみならずそれを知覚できる感度をも高めるために、接続装置７４０内に配設される。一方、他の各実施形態において、接続装置７４０は、ストラップ７２０またはその他適切な摺動要素の一端部にプーリー７５０を配設することによって作製することができる。
【００４８】
図１１に例示する実施形態において、引込み式ワイヤ５０の一端部は、ガイド装置７３０を通り、そして、接続装置７４０のプーリー７５０に巻き付き、その後、引込み式ワイヤ５０は、再びガイド装置７３０を通り、そして、巻取り装置２０の巻き部（図示せず）内に配置される。引込み式ワイヤ５０の他端部は、ケーシング２２の穴部に固定される。ユーザーがストラップ７２０に力を掛けると同時にラッチ装置７０を押すと、ラッチ装置７０は、引込み式ワイヤ５０を伸長したり引込んだりするように、巻き部（図示せず）と引込み式ワイヤ５０の間の相対運動に対する制限を解除する。言い換えれば、ストラップ７２０を伸長したり引込んだりすることができるようになる。ラッチ装置７０に対する力を解除すると、ラッチ装置７０は、巻き部（図示せず）と引込み式ワイヤ５０の間の相対運動を制限する。それによって、ラッチ装置７０は巻き部（図示せず）を巻取り装置２０内で回転しないように抑止し、こうして、引込み式ワイヤ５０またはストラップ７２０を伸長したり引込んだりすることができなくなることになる。
【００４９】
次に、本発明によるキャリア装置における引込み式ワイヤの使用方法について更に説明する。キャリア装置は、キャリア本体と、キャリア本体の側面上に可動自在に配設されたストラップと、巻取り装置とを更に備える。巻取り装置は、キャリア本体の底部に配設される。巻取り装置は、巻き部と、少なくとも１本の引込み式ワイヤと、ラッチ装置とを有する。引込み式ワイヤは、巻き部に巻き付けられる。ラッチ装置は、巻取り装置上に配設され、相対運動を選択的に制限することができる。以下の節に記載する要素に関する情報については、上記各段落に説明した実施形態を参照のこと。
【００５０】
図１２は、調節可能なストラップを有する本発明によるキャリア装置の使用方法を説明するフローチャートである。引込み式ワイヤを有するキャリア装置の使用方法の各ステップは、以下の動作を含む：
ステップ８００では、ラッチ装置を押して、巻取り装置内の巻き部と引込み式ワイヤの間の相対運動に対する制限を解除する。ステップ８１０では、キャリア本体から伸長するストラップの長さを調節する。ステップ８２０では、ラッチ装置を放して、ストラップをキャリア本体に対して伸長したり引っ込んだりしないように抑止するために、巻取り装置内の巻き部と引込み式ワイヤの間の相対運動を制限することによって、ユーザーによる使用を容易にする。
【００５１】
本実施形態において、ステップ８１０では、更に、ストラップを調節して引込ませ、キャリア装置に接続する。更に、ステップ８１０では、ストラップに力を掛けると同時にラッチ装置を押して、キャリア装置から伸長するストラップの長さを調節する。他方、ストラップに対して掛けられる力を制御すると伴にラッチ装置を押す動作によって、キャリア本体に対して伸長しまたは引込むストラップの長さを調節して、ユーザーにとって適切な長さにすることができる。
【００５２】
更に、ストラップがキャリア装置から伸長すると、ストラップの両端部は同時にキャリア装置から伸長する。ストラップが引込んでキャリア装置に戻ると、ストラップの両端部は同時に引込んでキャリア装置に戻る。こうして、キャリア装置から伸長するストラップの長さは、ストラップをユーザーの肩に掛けたり手で持ち運ぶように調節することができる。一方、他の各実施形態において、ストラップの両端部は、キャリア装置に対する様々な長さで、または、様々な時間に、伸長したり引込めたりすることができる。
【００５３】
図１３は、本発明のキャリア装置８００を使用するユーザーについて説明する斜視図である。ユーザーがキャリア装置８００を、該キャリア装置８００と同じ側の一方の肩に掛け、または、キャリア装置８００と反対側の他方の肩に掛けて（点線で示す）持ち運ぶとき、ユーザーの一方の手は、ストラップ８２０とキャリア装置８００間の開口を通るようになり、巻取り装置２００のラッチ装置７０を押して引込み式ワイヤ５０と巻き部（図示せず）の間の相対運動に対する制限を解除することが素早くかつ容易になる。こうして、ストラップ８２０を同時に伸長したり引込めたりしてユーザーの身体に適した長さと位置にする。ユーザーがラッチ装置７０を放して引込み式ワイヤ５０と巻き部（図示せず）の間の相対運動を制限すると、ストラップ８２０は、伸長したり引込んだりしないように抑止される。
【００５４】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００５５】
【図１】本発明における巻取り装置の第一実施形態を説明する斜視図である。
【図２】本発明におけるキャリア装置の第一実施形態を説明する斜視図である。
【図３】本発明における巻取り装置の第二実施形態を説明する斜視図である。
【図４ａ】本発明におけるキャリア装置の第二実施形態を説明する斜視図である。
【図４ｂ】本発明におけるキャリア装置の第三実施形態を説明する斜視図である。
【図５】本発明におけるキャリア装置の第四実施形態を説明する斜視図である。
【図６】本発明におけるキャリア装置の第五実施形態を説明する斜視図である。
【図７】本発明における巻取り装置のもう一つの実施形態を説明する斜視図である。
【図８ａ】図７において説明した巻取り装置の分解図である。
【図８ｂ】図７において説明した巻取り装置のもう一つの分解図である。
【図９】引込み式ワイヤと巻き部の間の相対運動を制限するラッチ装置を説明する斜視図である。
【図１０ａ】本発明におけるキャリア装置の第六実施形態を説明する斜視図である。
【図１０ｂ】本発明におけるキャリア装置の第六実施形態を説明するもう一つの斜視図である。
【図１１】本発明におけるキャリア装置の第七実施形態を説明する斜視図である。
【図１２】本発明におけるキャリア装置の使用方法のフローチャートである。
【図１３】本発明におけるキャリア装置を用いるユーザーを説明する斜視図である。
【符号の説明】
【００５６】
１０  巻取り装置
１２  ケーシング
１４  巻き部
１４ａ  第一巻き部
１４ｂ  第二巻き部
１６  ラッチ装置
１８ａ  第一引込み式ワイヤ
１８ｂ  第二引込み式ワイヤ
２００  キャリア装置
２１０  キャリア本体
２２０  ストラップ
２３０  ガイド装置
２４０  接続装置
【図１】
2009011840.tif 000003
【図２】
2009011840.tif 000004
【図３】
2009011840.tif 000005
【図４ａ】
2009011840.tif 000006
【図４ｂ】
2009011840.tif 000007
【図５】
2009011840.tif 000008
【図６】
2009011840.tif 000009
【図７】
2009011840.tif 000010
【図８ａ】
2009011840.tif 000011
【図８ｂ】
2009011840.tif 000012
【図９】
2009011840.tif 000013
【図１０ａ】
2009011840.tif 000014
【図１０ｂ】
2009011840.tif 000015
【図１１】
2009011840.tif 000016
【図１２】
2009011840.tif 000017
【図１３】
2009011840.tif 000018
【外国語明細書】
2009011840.tif 000019
2009011840.tif 000020
2009011840.tif 000021
2009011840.tif 000022
2009011840.tif 000023
2009011840.tif 000024
2009011840.tif 000025
2009011840.tif 000026
2009011840.tif 000027
2009011840.tif 000028
2009011840.tif 000029
2009011840.tif 000030
2009011840.tif 000031
2009011840.tif 000032
2009011840.tif 000033
2009011840.tif 000034
2009011840.tif 000035
2009011840.tif 000036
2009011840.tif 000037
2009011840.tif 000038
【図１】
2009011840.tif 000039
【図２】
2009011840.tif 000040
【図３】
2009011840.tif 000041
【図４ａ】
2009011840.tif 000042
【図４ｂ】
2009011840.tif 000043
【図５】
2009011840.tif 000044
【図６】
2009011840.tif 000045
【図７】
2009011840.tif 000046
【図８ａ】
2009011840.tif 000047
【図８ｂ】
2009011840.tif 000048
【図９】
2009011840.tif 000049
【図１０ａ】
2009011840.tif 000050
【図１０ｂ】
2009011840.tif 000051
【図１１】
2009011840.tif 000052
【図１２】
2009011840.tif 000053
【図１３】
2009011840.tif 000054